(57)【要約】【課題】チャネル測定参照信号送信方法及びそのシステムを提供する。【解決手段】一つの送信周期内において、各パスのチャネル測定参照信号が一つのサブフレーム又は隣り合う二つのサブフレームで送信され、各パスのチャネル測定参照信号が所定の構成ユニットを単位として全帯域幅において同間隔で重複送信される。【選択図】図２
2013502773.tif 000002
【特許請求の範囲】
【請求項１】
一つの送信周期内において、各パスのチャネル測定参照信号が一つのサブフレーム又は隣り合う二つのサブフレームで送信され、前記各パスのチャネル測定参照信号が所定の構成ユニットを単位として全帯域幅において同間隔に重複送信されるステップを含むことを特徴とするチャネル測定参照信号送信方法。
【請求項２】
{１、２、４、８}パスのチャネル測定参照信号を新たに設計し、
１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンとが同じであって、４パスのチャネル測定参照信号のパターンと８パスのチャネル測定参照信号の最初の四つのポートのパターンとが同じであることを特徴とする請求項１に記載のチャネル測定参照信号送信方法。
【請求項３】
{４、８}パスのチャネル測定参照信号を新たに設計し、
実際のアンテナポート数が４又は８である場合、新たに設計された４パス又は８パスのチャネル測定参照信号が高級長期的進化システムのダウンリンクチャネル測定を実現し、
実際のアンテナポート数が１又は２である場合、前記チャネル測定参照信号がＬＴＥシステムの共通参照信号を再度利用してチャネル測定参照信号として前記高級長期的進化システムのダウンリンクチャネル測定を実現し、
４パスのチャネル測定参照信号のパータンと８パスのチャネル測定参照信号の最初の四つのポートのパターンとは同じであることを特徴とする請求項１に記載のチャネル測定参照信号送信方法。
【請求項４】
送信周期が異なるチャネル測定参照信号のパターンが同じであることを特徴とする請求項１に記載のチャネル測定参照信号送信方法。
【請求項５】
前記チャネル測定参照信号は、配置されたサブフレームの６、９、１４番目のシンボルにて送信されることを特徴とする請求項１に記載のチャネル測定参照信号送信方法。
【請求項６】
０、２、５、１０又は２０中のいずれの数のサブフレームを周期として前記チャネル測定参照信号を送信することを特徴とする請求項１に記載のチャネル測定参照信号送信方法。
【請求項７】
前記チャネル測定参照信号が所定の構成ユニットを単位として同間隔で重複する周波数領域間隔が、{６、８、１２、１６、２４、３０、３６、４２、４８}であることを特徴とする請求項１に記載のチャネル測定参照信号送信方法。
【請求項８】
新たに設計されたチャネル測定参照信号が、一つのＲＢを所定の構成ユニットとして全帯域幅において同間隔で重複送信され、８パスのチャネル測定参照信号は送信するサブフレームの１４番目のＯＦＤＭシンボルに位置し、
その中、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされることを特徴とする請求項３に記載のチャネル測定参照信号送信方法。
【請求項９】
新たに設計されたチャネル測定参照信号が、二つのＲＢを所定の構成ユニットとして全帯域幅において同間隔で重複送信され、８パスのチャネル測定参照信号は送信するサブフレームの１４番目のＯＦＤＭシンボルに位置し、
その中、０パスのチャネル測定参照信号は１番目のサブキャリアと９番目のサブキャリアと１７番目のサブキャリアにマッピングされ、１パスのチャネル測定参照信号は２番目のサブキャリアと１０番目のサブキャリアと１８番目のサブキャリアにマッピングされ、２パスのチャネル測定参照信号は３番目のサブキャリアと１１番目のサブキャリアと１９番目のサブキャリアにマッピングされ、３パスのチャネル測定参照信号は４番目のサブキャリアと１２番目のサブキャリアと２０番目のサブキャリアにマッピングされ、４パスのチャネル測定参照信号は５番目のサブキャリアと１３番目のサブキャリアと２１番目のサブキャリアにマッピングされ、５パスのチャネル測定参照信号は６番目のサブキャリアと１４番目のサブキャリアと２２番目のサブキャリアにマッピングされ、６パスのチャネル測定参照信号は７番目のサブキャリアと１５番目のサブキャリアと２３番目のサブキャリアにマッピングされ、７パスのチャネル測定参照信号は８番目のサブキャリアと１６番目のサブキャリアと２４番目のサブキャリアにマッピングされることを特徴とする請求項３に記載のチャネル測定参照信号送信方法。
【請求項１０】
新たに設計されたチャネル測定参照信号が、一つのＲＢを所定の構成ユニットとして全帯域幅において同間隔で重複送信され、８パスのチャネル測定参照信号は送信するサブフレームの１１番目と１４番目のＯＦＤＭシンボルに位置し、
その中、１１番目のシンボルにおいて、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされ、１４番目のＯＦＤＭシンボルにおいて、０パスのチャネル測定参照信号と１パスのチャネル測定参照信号は１４番目のシンボルの７、８番目のサブキャリアに隣り合ってマッピングされ、２パスのチャネル測定参照信号と３パスのチャネル測定参照信号は１４番目のシンボルの１０、１１番目のサブキャリアに隣り合ってマッピングされ、４パスのチャネル測定参照信号と５パスのチャネル測定参照信号は１４番目のシンボルの１、２番目のサブキャリアに隣り合ってマッピングされ、６パスのチャネル測定参照信号と７パスのチャネル測定参照信号は１４番目のシンボルの４、５番目のサブキャリアに隣り合ってマッピングされることを特徴とする請求項３に記載のチャネル測定参照信号送信方法。
【請求項１１】
新たに設計されたチャネル測定参照信号が、二つのＲＢを所定の構成ユニットとして全帯域幅において同間隔で重複送信され、８パスのチャネル測定参照信号は送信するサブフレームの１４番目のＯＦＤＭシンボルに位置し、
その中、０パスのチャネル測定参照信号は３番目のサブキャリアにマッピングされ、１パスのチャネル測定参照信号は６番目のサブキャリアにマッピングされ、２パスのチャネル測定参照信号は９番目のサブキャリアにマッピングされ、３パスのチャネル測定参照信号は１２番目のサブキャリアにマッピングされ、４パスのチャネル測定参照信号は１５番目のサブキャリアにマッピングされ、５パスのチャネル測定参照信号は１８番目のサブキャリアにマッピングされ、６パスのチャネル測定参照信号は２１番目のサブキャリアにマッピングされ、７パスのチャネル測定参照信号は２４番目のサブキャリアにマッピングされることを特徴とする請求項３に記載のチャネル測定参照信号送信方法。
【請求項１２】
新たに設計されたチャネル測定参照信号が、一つのＲＢを所定の構成ユニットとして全帯域幅において同間隔で重複送信され、８パスのチャネル測定参照信号は送信するサブフレームの６番目と１１番目のＯＦＤＭシンボルに位置し、
その中、０パスのチャネル測定参照信号と４パスのチャネル測定参照信号は１番目のサブキャリアにマッピングされ、１パスのチャネル測定参照信号と５パスのチャネル測定参照信号は４番目のサブキャリアにマッピングされ、２パスのチャネル測定参照信号と６パスのチャネル測定参照信号は７番目のサブキャリアにマッピングされ、３パスのチャネル測定参照信号と７パスのチャネル測定参照信号は１０番目のサブキャリアにマッピングされることを特徴とする請求項３に記載のチャネル測定参照信号送信方法。
【請求項１３】
前記チャネル測定参照信号が、一つのＲＢを所定の構成ユニットとして全帯域幅において同間隔で重複送信され、８パスのチャネル測定参照信号は送信するサブフレームの６番目のＯＦＤＭシンボルに位置し、
その中、０パスのチャネル測定参照信号と１パスのチャネル測定参照信号は１、２番目のサブキャリアに隣り合ってマッピングされ、２パスのチャネル測定参照信号と３パスのチャネル測定参照信号は７、８番目のサブキャリアに隣り合ってマッピングされ、４、５、６、７パスのチャネル測定参照信号の周波数領域位置はそれぞれ０、１、２、３パスのチャネル測定参照信号の周波数領域位置と同じであって、各パスのチャネル測定参照信号は異なるアンテナポートに配置される場合全て同じであって、同時に１、２、４、８パスのチャネル測定参照信号のマッピングを支援することを特徴とする請求項３に記載のチャネル測定参照信号送信方法。
【請求項１４】
前記チャネル測定参照信号が、一つのＲＢを所定の構成ユニットとして全帯域幅において同間隔で重複送信され、
その中、８パスのチャネル測定参照信号は、送信するサブフレームの６番目と１１番目のＯＦＤＭシンボルに位置し、０パスのＣＳＩ−ＲＳは６番目のＯＦＤＭシンボルの１番目のサブキャリアにマッピングされ、１パスのＣＳＩ−ＲＳは６番目のＯＦＤＭシンボルの４番目のサブキャリアにマッピングされ、２パスのＣＳＩ−ＲＳは６番目のＯＦＤＭシンボルの７番目のサブキャリアにマッピングされ、３パスのＣＳＩ−ＲＳは６番目のＯＦＤＭシンボルの１０番目のサブキャリアにマッピングされ、４パスのＣＳＩ−ＲＳは１１番目のＯＦＤＭシンボルの１番目のサブキャリアにマッピングされ、５パスのＣＳＩ−ＲＳは１１番目のＯＦＤＭシンボルの４番目のサブキャリアにマッピングされ、６パスのＣＳＩ−ＲＳは１１番目のＯＦＤＭシンボルの７番目のサブキャリアにマッピングされ、７パスのＣＳＩ−ＲＳは１１番目のＯＦＤＭシンボルの１０番目のサブキャリアにマッピングされることを特徴とする請求項３に記載のチャネル測定参照信号送信方法。
【請求項１５】
前記チャネル測定参照信号が、一つのＲＢを所定の構成ユニットとして全帯域幅において同間隔で重複送信され、
その中、８パスのチャネル測定参照信号は、送信するサブフレームの６番目と１１番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１１番目のシンボルにマッピングされ、その周波数領域位置はそれぞれ０、１、２、３パスと同じであることを特徴とする請求項３に記載のチャネル測定参照信号送信方法。
【請求項１６】
前記チャネル測定参照信号は、一つのＲＢを所定の構成ユニットとして全帯域幅において同間隔で重複送信され、
その中、８パスのチャネル測定参照信号は、送信するサブフレームの６番目と１４番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１４番目のシンボルにマッピングされ、その周波数領域位置はそれぞれ０、１、２、３パスと同じであることを特徴とする請求項３に記載のチャネル測定参照信号送信方法。
【請求項１７】
一つの送信周期内において、各パスのチャネル測定参照信号を一つのサブフレーム又は隣り合う二つのサブフレームにおいて送信し、所定の構成ユニットを単位として全帯域幅において同間隔で各パスのチャネル測定参照信号を重複送信する送信ブロックを含むことを特徴とするチャネル測定参照信号送信システム。
【請求項１８】
前記送信ブロックが、
１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンとが同じであって、４パスのチャネル測定参照信号のパターンと８パスのチャネル測定参照信号の最初の四つのポートのパターンとが同じであるように{１、２、４、８}パスのチャネル測定参照信号を新たに設計する第１のチャネル測定参照信号のパス数設定ユニットと、
実際のアンテナポート数が４又は８である場合、新たに設計された４パス又は８パスのチャネル測定参照信号が高級長期的進化システムのダウンリンクチャネル測定を実現し、実際のアンテナポート数が１又は２である場合、前記チャネル測定参照信号がＬＴＥシステムの共通参照信号を再度利用してチャネル測定参照信号として高級長期的進化システムのダウンリンクチャネル測定を実現するように{４、８}パスのチャネル測定参照信号を新たに設計する第２のチャネル測定参照信号のパス数設定ユニットと、を含み、
４パスのチャネル測定参照信号のパターンと８パスのチャネル測定参照信号のパターンの最初の四つのポートのパターンとは同じであることを特徴とする請求項１７に記載のチャネル測定参照信号送信システム。
【請求項１９】
送信周期が異なるチャネル測定参照信号のパターンは同じであって、前記チャネル測定参照信号は、配置されたサブフレームの６、９、１４番目のシンボルにマッピングされて送信され、０、２、５、１０又は２０の中のいずれの数のサブフレームを周期として前記チャネル測定参照信号を送信し、前記チャネル測定参照信号が所定の構成ユニットを単位として同間隔で重複する周波数領域間隔は、{６、８、１２、１６、２４、３０、３６、４２、４８}であることを特徴とする請求項１７に記載のチャネル測定参照信号送信システム。
【請求項２０】
前記チャネル測定参照信号と新たに設計されたチャネル測定参照信号を一つのＲＢ又は二つのＲＢを所定の構成ユニットとして全帯域幅において同間隔で重複送信する重複送信ユニットを更に含み、
８パスのチャネル測定参照信号が、送信するサブフレームの１４番目のＯＦＤＭシンボルに位置することを特徴とする請求項１７に記載のチャネル測定参照信号送信システム。
【発明の詳細な説明】
【技術分野】
【０００１】
本発明は、無線通信システムに関し、具体的には、ＬＴＥ−ＡにおけるＬＴＥとＬＴＥ−Ａｄｖａｎｃｅｄユーザの共用リソースに適用するチャネル測定参照信号送信方法及びシステムに関する。
【背景技術】
【０００２】
セルのスループットを向上するために、セル間の干渉を調節し、例えば高級長期的進化システム（Long-Term Evolution advance、以下ＬＴＥ−Ａｄｖａｎｃｅと略称）、高級国際無線通信システム（International Mobile Telecommunication advance、以下ＩＭＴ−Ａｄｖａｎｃｅと略称）などの新時代の無線通信システムはネットワーク層間の協力伝送技術（Coordinate Multipoint Transmission and Reception、以下ＣＯＭＰと略称）を導入した。
【０００３】
３ＧＰＰ  ＬＴＥ５６回の会議において、ＬＴＥ−Ａｄｖａｎｃｅdの２種類の参照信号、即ち、チャネル測定参照信号（以下、ＣＳＩ−ＲＳと略称）と復調参照信号（以下、ＤＭＲＳと略称）を定義し、その中、チャネル測定参照信号はセル専用（cell-specific）であると明確化し、時間周波数リソース上の分布が復調参照信号に比べ、まばら（Sparse）である。
【０００４】
しかし、チャネル測定参照信号がＬＴＥ−Ａシステムにおいて、どのように作業し、そのマッピング規則はどうなるのかは詳しく定義していない。
【発明の概要】
【発明が解決しようとする課題】
【０００５】
本発明は、上記の問題における少なくとも一つを解決できる具体的なチャネル測定参照信号設計案を提供することを目的とする。
【課題を解決するための手段】
【０００６】
本発明の一方面によると、一つの送信周期内において、各パスのチャネル測定参照信号が一つのサブフレーム又は隣り合う二つのサブフレームで送信され、各パスのチャネル測定参照信号が所定の構成ユニットを単位として全帯域幅において同間隔で重複送信されるチャネル測定参照信号送信方法を提供する。
【０００７】
その中、{１、２、４、８}パスのチャネル測定参照信号を新たに設計し、１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンが同じであって、チャネル測定参照信号が所定の構成ユニットを単位として同間隔で重複される周波数領域間隔は、{６、８、１２、１６、２４、３０、３６、４２、４８}である。
【０００８】
新たに設計されたチャネル測定参照信号は、一つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされる。
【０００９】
また、新たに設計されたチャネル測定参照信号は、二つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号は１番目のサブキャリアと９番目のサブキャリアと１７番目のサブキャリアにマッピングされ、１パスのチャネル測定参照信号は２番目のサブキャリアと１０番目のサブキャリアと１８番目のサブキャリアにマッピングされ、２パスのチャネル測定参照信号は３番目のサブキャリアと１１番目のサブキャリアと１９番目のサブキャリアにマッピングされ、３パスのチャネル測定参照信号は４番目のサブキャリアと１２番目のサブキャリアと２０番目のサブキャリアにマッピングされ、４パスのチャネル測定参照信号は５番目のサブキャリアと１３番目のサブキャリアと２１番目のサブキャリアにマッピングされ、５パスのチャネル測定参照信号は６番目のサブキャリアと１４番目のサブキャリアと２２番目のサブキャリアにマッピングされ、６パスのチャネル測定参照信号は７番目のサブキャリアと１５番目のサブキャリアと２３番目のサブキャリアにマッピングされ、７パスのチャネル測定参照信号は８番目のサブキャリアと１６番目のサブキャリアと２４番目のサブキャリアにマッピングされる。
【００１０】
また、新たに設計されたチャネル測定参照信号は、一つのＲＢを所定の構成ユニットとして全帯域幅において同間隔で重複送信され、８パスのチャネル測定参照信号は送信するサブフレームの１１番目と１４番目のＯＦＤＭシンボルに位置し、その中、１１番目のシンボルにおいて、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされ、１４番目のＯＦＤＭシンボルにおいて、０パスのチャネル測定参照信号と１パスのチャネル測定参照信号は１４番目のシンボルの７、８番目のサブキャリアに隣り合ってマッピングされ、２パスのチャネル測定参照信号と３パスのチャネル測定参照信号は１４番目のシンボルの１０、１１番目のサブキャリアに隣り合ってマッピングされ、４パスのチャネル測定参照信号と５パスのチャネル測定参照信号は１４番目のシンボルの１、２番目のサブキャリアに隣り合ってマッピングされ、６パスのチャネル測定参照信号と７パスのチャネル測定参照信号は１４番目のシンボルの４、５番目のサブキャリアに隣り合ってマッピングされる。
【００１１】
また、新たに設計されたチャネル測定参照信号は、二つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号は３番目のサブキャリアにマッピングされ、１パスのチャネル測定参照信号は６番目のサブキャリアにマッピングされ、２パスのチャネル測定参照信号は９番目のサブキャリアにマッピングされ、３パスのチャネル測定参照信号は１２番目のサブキャリアにマッピングされ、４パスのチャネル測定参照信号は１５番目のサブキャリアにマッピングされ、５パスのチャネル測定参照信号は１８番目のサブキャリアにマッピングされ、６パスのチャネル測定参照信号は２１番目のサブキャリアにマッピングされ、７パスのチャネル測定参照信号は２４番目のサブキャリアにマッピングされる。
【００１２】
また、新たに設計されたチャネル測定参照信号は、一つのＲＢを所定の構成ユニットとして全帯域幅において同間隔で重複送信され、８パスののチャネル測定参照信号は送信するサブフレームの６番目と１１番目のＯＦＤＭシンボルに位置し、その中、０パスのチャネル測定参照信号と４パスのチャネル測定参照信号は１番目のサブキャリアにマッピングされ、１パスのチャネル測定参照信号と５パスのチャネル測定参照信号は４番目のサブキャリアにマッピングされ、２パスのチャネル測定参照信号と６パスのチャネル測定参照信号は７番目のサブキャリアにマッピングされ、３パスのチャネル測定参照信号と７パスのチャネル測定参照信号は１０番目のサブキャリアにマッピングされる。
【００１３】
そして、チャネル測定参照信号は、一つのＲＢを所定の構成ユニットとして全帯域幅において同間隔で重複送信され、８パスのチャネル測定参照信号は送信するサブフレームの６番目のＯＦＤＭシンボルに位置し、その中、０パスのチャネル測定参照信号と１パスのチャネル測定参照信号は１、２番目のサブキャリアに隣り合ってマッピングされ、２パスのチャネル測定参照信号と３パスのチャネル測定参照信号は７、８番目のサブキャリアに隣り合ってマッピングされ、４、５、６、７パスのチャネル測定参照信号の周波数領域位置はそれぞれ０、１、２、３パスのチャネル測定参照信号の周波数領域位置と同じであって、各パスのチャネル測定参照信号は異なるアンテナポートに配置される場合全て同じであって、同時に１、２、４、８パスのチャネル測定参照信号のマッピングを支援する。
【００１４】
また、チャネル測定参照信号は、一つのＲＢを所定の構成ユニットとして全帯域幅において同間隔で重複送信され、その中、８パスのチャネル測定参照信号は送信するサブフレームの６番目と１１番目のＯＦＤＭシンボルに位置し、０パスのＣＳＩ−ＲＳは６番目のＯＦＤＭシンボルの１番目のサブキャリアにマッピングされ、１パスのＣＳＩ−ＲＳは６番目のＯＦＤＭシンボルの４番目のサブキャリアにマッピングされ、２パスのＣＳＩ−ＲＳは６番目のＯＦＤＭシンボルの７番目のサブキャリアにマッピングされ、３パスのＣＳＩ−ＲＳは６番目のＯＦＤＭシンボルの１０番目のサブキャリアにマッピングされ、４パスのＣＳＩ−ＲＳは１１番目のＯＦＤＭシンボルの１番目のサブキャリアにマッピングされ、５パスのＣＳＩ−ＲＳは１１番目のＯＦＤＭシンボルの４番目のサブキャリアにマッピングされ、６パスのＣＳＩ−ＲＳは１１番目のＯＦＤＭシンボルの７番目のサブキャリアにマッピングされ、７パスのＣＳＩ−ＲＳは１１番目のＯＦＤＭシンボルの１０番目のサブキャリアにマッピングされる。
【００１５】
また、チャネル測定参照信号は、一つのＲＢを所定の構成ユニットとして全帯域幅において同間隔で重複送信され、その中、８パスのチャネル測定参照信号は送信するサブフレームの６番目と１１番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１１番目のシンボルにマッピングされ、その周波数領域位置はそれぞれ０、１、２、３パスと同じである。
【００１６】
また、チャネル測定参照信号は、一つのＲＢを所定の構成ユニットとして全帯域幅において同間隔で重複送信され、その中、８パスのチャネル測定参照信号は送信するサブフレームの６番目と１４番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１４番目のシンボルにマッピングされ、その周波数領域位置はそれぞれ０、１、２、３パスと同じである。
【００１７】
本発明の他の一方面によると、一つの送信周期内において、各パスのチャネル測定参照信号を一つのサブフレーム又は隣り合う二つのサブフレームにおいて送信し、所定の構成ユニットを単位として全帯域幅において同間隔で各パスのチャネル測定参照信号を重複送信する送信ブロックを含むチャネル測定参照信号送信システムを提供する。
【００１８】
その中、送信ブロックは、１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンとが同じであって、４パスのチャネル測定参照信号のパターンと８パスのチャネル測定参照信号の最初の四つのポートのパターンが同じであるように{１、２、４、８}パスのチャネル測定参照信号を新たに設計する第１のチャネル測定参照信号のパス数設定ユニットと、実際のアンテナポート数が４又は８である場合、新たに設計された４パス又は８パスのチャネル測定参照信号が高級長期的進化システムのダウンリンクチャネル測定を実現し、実際のアンテナポート数が１又は２である場合、チャネル測定参照信号がＬＴＥシステムの共通参照信号を再度利用してチャネル測定参照信号とし、高級長期的進化システムのダウンリンクチャネル測定を実現するように{４、８}パスのチャネル測定参照信号を新たに設計する第２のチャネル測定参照信号のパス数設定ユニットと、を含み、その中、４パスのチャネル測定参照信号のパターンと８パスのチャネル測定参照信号のパターンの最初の四つのポートのパターンとは同じである。
【００１９】
本発明において、送信周期が異なるチャネル測定参照信号のパターンは同じであって、チャネル測定参照信号は、配置されたサブフレームの６、９、１４番目のシンボルにマッピングされて送信され、０、２、５、１０又は２０中のいずれの数字に係るサブフレームを周期としてチャネル測定参照信号を送信し、チャネル測定参照信号が所定の構成ユニットを単位として同間隔で重複する周波数領域間隔は、{６、８、１２、１６、２４、３０、３６、４２、４８}である。
【００２０】
そして、本発明に係るチャネル測定参照信号送信システムは、チャネル測定参照信号と新たに設計されたチャネル測定参照信号を一つのＲＢ又は二つのＲＢを所定の構成ユニットとして全帯域幅において同間隔で重複送信する重複送信ユニットを更に含み、８パスのチャネル測定参照信号が送信するサブフレームの１４番目のＯＦＤＭシンボルに位置する。
【００２１】
本発明は、所定の構成ユニットを二つのＲＢ、又は１.５個のＲＢ、又は２.５個のＲＢ又は３個のＲＢの間隔で全帯域幅において同間隔で送信することができる。
【発明の効果】
【００２２】
従って、本発明によると、ＬＴＥシステムのＣＲＳ送信を保持すると共に、ＬＴＥユーザに対する影響が小さく、高級ＭＩＭＯとＣＯＭＰに必要な参照信号情報を提供し、ＬＴＥ−Ａｄｖａｎｃｅｄユーザの単リンクの品質向上に有利である。そして、更にまばらな設計によってＬＴＥユーザの性能劣化を防止し、設計に係るオーバーヘットが低く、チャネル測定の機能を保証でき、ＬＴＥ−Ａシステムのスループットを向上する。
ここで説明する図面は本発明を理解させるためのものであり、本発明の一部を構成し、本発明における実施例と共に本発明を解釈し、本発明を不当に限定するものではない。
【図面の簡単な説明】
【００２３】
【図１】図１は、ＬＴＥ基準における正常のサイクリックプレフィックスフレーム構造の共通参照信号とダウンリンク専用参照信号のパターンを示す図である。
【図２】図２は、本発明の実施例１に係るチャネル測定参照信号パターンを示す図である。
【図３】図３は、本発明の実施例２に係るチャネル測定参照信号パターンを示す図である。
【図４】図４は、本発明の実施例３に係るチャネル測定参照信号パターンを示す図である。
【図５】図５は、本発明の実施例４に係るチャネル測定参照信号パターンを示す図である。
【図６】図６は、本発明の実施例５に係るチャネル測定参照信号パターンを示す図である。
【図７】図７は、本発明の実施例６に係るチャネル測定参照信号パターンを示す図である。
【図８】図８は、本発明の実施例７に係るチャネル測定参照信号パターンを示す図である。
【図９】図９は、本発明の実施例８に係るチャネル測定参照信号パターンを示す図である。
【図１０】図１０は、本発明の実施例９に係るチャネル測定参照信号パターンを示す図である。
【図１１】図１１は、本発明に係るチャネル測定参照信号送信システムを示すブロック図である。
【発明を実施するための形態】
【００２４】
以下、図面と具体的な実施形態に合わせ、本発明を詳しく説明する。
【００２５】
本発明によると、ＬＴＥ−Ａシステムのチャネル測定参照信号送信方法を提供する。具体的には、全てのアンテナポートのＣＳＩ−ＲＳが一つのサブフレーム又は二つのサブフレームのＰＤＳＣＨの対応するリソースにて送信されるようにすることである。
【００２６】
ＣＳＩ−ＲＳがＬＴＥ−Ａシステムにリソース割り当ての参照情報を提供しなければならないので、ＬＴＥとＬＴＥ−Ａｄｖａｎｃｅｄユーザの共用リソースにおいて全面的なスケジューリング情報を提供するため、当該セルの共用リソースにおいて全帯域幅で送信する。
【００２７】
そして、ＣＳＩ−ＲＳは{０、４、８}集合中の任意数のアンテナポートを利用することができる。例えば、セルのＣＳＩ−ＲＳが０パス（即ち、ＣＳＩ−ＲＳを送信しない）を利用するか、又は４パスのＣＳＩ−ＲＳ又は８パスのＣＳＩ−ＲＳを利用することができる。共通参照信号及び実際のアンテナポートとの対応関係は以下の表に示す通りである。
【００２８】
【表１】
2013502773.tif 000003
【００２９】
その中、ＣＲＳアンテナポート数が実際のアンテナポートより小さいと、Ｒｅｌ  ８が模擬アンテナ技術を用いている可能性が存在し、Ｒｅｌ  １０のユーザが模擬アンテナ技術を用いていないとＣＲＳをＣＳＩ−ＲＳに利用することができない。ＣＲＳアンテナポート数が実際のアンテナポートと同じであると、ＣＲＳをＣＳＩ−ＲＳとすることができる。
【００３０】
一つのサブフレームにおいて同一のＣＳＩ−ＲＳパターンを利用し、基準に定義されたＣＳＩ−ＲＳパターンを異なる周波数領域又は異なるタイムスロットにてハンドオーバーすることができない。ＣＳＩ−ＲＳタイム領域はＮ個のサブフレームを周期とし、Ｎ∈{０、２、５、１０、２０}であって、一定の時間内において、当該周期に従って同間隔で送信する。各セルのＣＳＩ−ＲＳ送信周期は異なることができる。
【００３１】
ここで、Ｎ＝０である場合、各サブフレームは全てＣＳＩ−ＲＳを送信する。
【００３２】
各ユーザは、本セルのＣＳＩ−ＲＳを受信し、ＣＯＭＰに必要なチャネル測定を支援するため、ＣＯＭＰユーザは他のセルのＣＳＩ−ＲＳを受信することもできる。
【００３３】
本発明に係るチャネル測定参照信号送信方法によると、一つの送信周期内において、各チャネル測定参照信号は一つのサブフレーム又は隣り合う二つのサブフレームで送信され、各パスのチャネル測定参照信号は所定の構成ユニットを単位とし、全帯域幅において同間隔で重複送信される。
【００３４】
その中、{１、２、４、８}パスのチャネル測定参照信号を新たに設計し、１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンとが同じであって、チャネル測定参照信号が所定の構成ユニットを単位とし、同間隔で重複される周波数領域間隔は{６、８、１２、１６、２４、３０、３６、４２、４８}である。
【００３５】
新たに設計されたチャネル測定参照信号は、一つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされる。
【００３６】
また、新たに設計されたチャネル測定参照信号は、二つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号は１番目のサブキャリアと９番目のサブキャリアと１７番目のサブキャリアにマッピングされ、１パスのチャネル測定参照信号は２番目のサブキャリアと１０番目のサブキャリアと１８番目のサブキャリアにマッピングされ、２パスのチャネル測定参照信号は３番目のサブキャリアと１１番目のサブキャリアと１９番目のサブキャリアにマッピングされ、３パスのチャネル測定参照信号は４番目のサブキャリアと１２番目のサブキャリアと２０番目のサブキャリアにマッピングされ、４パスのチャネル測定参照信号は５番目のサブキャリアと１３番目のサブキャリアと２１番目のサブキャリアにマッピングされ、５パスのチャネル測定参照信号は６番目のサブキャリアと１４番目のサブキャリアと２２番目のサブキャリアにマッピングされ、６パスのチャネル測定参照信号は７番目のサブキャリアと１５番目のサブキャリアと２３番目のサブキャリアにマッピングされ、７パスのチャネル測定参照信号は８番目のサブキャリアと１６番目のサブキャリアと２４番目のサブキャリアにマッピングされる。
【００３７】
また、新たに設計されたチャネル測定参照信号は、一つのＲＢを所定の構成ユニットとして全帯域幅において同間隔で重複送信され、８パスのチャネル測定参照信号は送信するサブフレームの１１番目と１４番目のＯＦＤＭシンボルに位置し、その中、１１番目のシンボルにおいて、０パスのチャネル測定参照信号と１パスのチャネル測定参照信号は１、２番目のサブキャリアに隣り合ってマッピングされ、２パスのチャネル測定参照信号と３パスのチャネル測定参照信号は４、５番目のサブキャリアに隣り合ってマッピングされ、４パスのチャネル測定参照信号と５パスのチャネル測定参照信号は７、８番目のサブキャリアに隣り合ってマッピングされ、６パスのチャネル測定参照信号と７パスのチャネル測定参照信号は１０、１１番目のサブキャリアに隣り合ってマッピングされ、１４番目のＯＦＤＭシンボルにおいて、０パスのチャネル測定参照信号と１パスのチャネル測定参照信号は１４番目のシンボルの７、８番目のサブキャリアに隣り合ってマッピングされ、２パスのチャネル測定参照信号と３パスのチャネル測定参照信号は１４番目のシンボルの１０、１１番目のサブキャリアに隣り合ってマッピングされ、４パスのチャネル測定参照信号と５パスのチャネル測定参照信号は１４番目のシンボルの１、２番目のサブキャリアに隣り合ってマッピングされ、６パスのチャネル測定参照信号と７パスのチャネル測定参照信号は１４番目のシンボルの４、５番目のサブキャリアに隣り合ってマッピングされる。
【００３８】
また、新たに設計されたチャネル測定参照信号は、二つのＲＢを所定の構成ユニットとして全帯域幅において同間隔で重複送信され、８パスのチャネル測定参照信号は送信するサブフレームの１４番目のＯＦＤＭシンボルに位置し、その中、０パスのチャネル測定参照信号は３番目のサブキャリアにマッピングされ、１パスのチャネル測定参照信号は６番目のサブキャリアにマッピングされ、２パスのチャネル測定参照信号は９番目のサブキャリアにマッピングされ、３パスのチャネル測定参照信号は１２番目のサブキャリアにマッピングされ、４パスのチャネル測定参照信号は１５番目のサブキャリアにマッピングされ、５パスのチャネル測定参照信号は１８番目のサブキャリアにマッピングされ、６パスのチャネル測定参照信号は２１番目のサブキャリアにマッピングされ、７パスのチャネル測定参照信号は２４番目のサブキャリアにマッピングされる。
【００３９】
また、新たに設計されたチャネル測定参照信号は、一つのＲＢを所定の構成ユニットとして全帯域幅において同間隔で重複送信され、８パスのチャネル測定参照信号は送信するサブフレームの６番目と１１番目のＯＦＤＭシンボルに位置し、その中、０パスのチャネル測定参照信号と４パスのチャネル測定参照信号は１番目のサブキャリアに、１パスのチャネル測定参照信号と５パスのチャネル測定参照信号は４番目のサブキャリアに、２パスのチャネル測定参照信号と６パスのチャネル測定参照信号は７番目のサブキャリアに、３パスのチャネル測定参照信号と７パスのチャネル測定参照信号は１０番目のサブキャリアにマッピングされる。
【００４０】
そして、チャネル測定参照信号は、一つのＲＢを所定の構成ユニットとして全帯域幅において同間隔で重複送信され、８パスのチャネル測定参照信号は送信するサブフレームの６番目のＯＦＤＭシンボルに位置し、その中、０パスのチャネル測定参照信号と１パスのチャネル測定参照信号は１、２番目のサブキャリアに隣り合ってマッピングされ、２パスのチャネル測定参照信号と３パスのチャネル測定参照信号は７、８番目のサブキャリアに隣り合ってマッピングされ、４、５、６、７パスのチャネル測定参照信号の周波数領域位置はそれぞれ０、１、２、３パスのチャネル測定参照信号の周波数領域位置と同じであって、各パスのチャネル測定参照信号は異なるアンテナポートに配置される際同じであって、同時に１、２、４、８パスのチャネル測定参照信号のマッピングを支援する。
【００４１】
また、チャネル測定参照信号は、一つのＲＢを所定の構成ユニットとして全帯域幅において同間隔で重複送信され、その中、８パスのチャネル測定参照信号は送信するサブフレームの６番目と１１番目のＯＦＤＭシンボルに位置し、０パスのＣＳＩ−ＲＳは６番目のＯＦＤＭシンボルの１番目のサブキャリアに、１パスのＣＳＩ−ＲＳは６番目のＯＦＤＭシンボルの４番目のサブキャリアに、２パスのＣＳＩ−ＲＳは６番目のＯＦＤＭシンボルの７番目のサブキャリアに、３パスのＣＳＩ−ＲＳは６番目のＯＦＤＭシンボルの１０番目のサブキャリアに、４パスのＣＳＩ−ＲＳは１１番目のＯＦＤＭシンボルの１番目のサブキャリアに、５パスのＣＳＩ−ＲＳは１１番目のＯＦＤＭシンボルの４番目のサブキャリアに、６パスのＣＳＩ−ＲＳは１１番目のＯＦＤＭシンボルの７番目のサブキャリアに、７パスのＣＳＩ−ＲＳは１１番目のＯＦＤＭシンボルの１０番目のサブキャリアにそれぞれマッピングされる。
【００４２】
また、チャネル測定参照信号は、一つのＲＢを所定の構成ユニットとして全帯域幅において同間隔で重複送信され、その中、８パスのチャネル測定参照信号は送信するサブフレームの６番目と１１番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１１番目のシンボルにマッピングされ、その周波数領域位置はそれぞれ０、１、２、３パスと同じである。
【００４３】
また、チャネル測定参照信号は、一つのＲＢを所定の構成ユニットとして全帯域幅において同間隔で重複送信され、その中、８パスのチャネル測定参照信号は送信するサブフレームの６番目と１４番目のＯＦＤＭシンボルに位置し、０パスのＣＳＩ−ＲＳと１パスのＣＳＩ−ＲＳは６番目のＯＦＤＭシンボルの１、２番目のサブキャリアに隣り合ってマッピングされ、２パスのＣＳＩ−ＲＳと３パスのＣＳＩ−ＲＳは６番目のＯＦＤＭシンボルの７、８番目のサブキャリアに隣り合ってマッピングされ、４、５、６、７パスは１４番目のシンボルにマッピングされ、その周波数領域位置はそれぞれ０、１、２、３パスと同じである。
【００４４】
図１は、ＬＴＥ基準による正常のサイクリックプレフィックスフレームの共通参照信号とダウンリンク専用参照信号のパターンを示す図であり、チャネル測定参照信号をマッピングする場合、このような位置は避けるべきであって、図２〜図１０は、本発明の実施例に係るチャネル測定参照信号のパターンである。以下、図面に合わせ具体的な実施例を介して本発明を説明する。
【００４５】
［実施例１］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号とし、ＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００４６】
新たに設計されたＣＳＩ−ＲＳは一定の周期に従って図２に示すパターンを重複送信し、各周期内において、新たに設計されたＣＳＩ−ＲＳは一つのサブフレームを占めて送信される。
【００４７】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図２に示すパターンを重複する。
【００４８】
新たに設計されたＣＳＩ−ＲＳは各サブフレームの１４番目のシンボルにマッピングされて送信される。
【００４９】
０パスのＣＳＩ−ＲＳと１パスのＣＳＩ−ＲＳは１、２番目のサブキャリアに隣り合ってマッピングされ、２パスのＣＳＩ−ＲＳと３パスのＣＳＩ−ＲＳは４、５番目のサブキャリアに隣り合ってマッピングされ、４パスのＣＳＩ−ＲＳと５パスのＣＳＩ−ＲＳは７、８番目のサブキャリアに隣り合ってマッピングされ、６パスのＣＳＩ−ＲＳと７パスのＣＳＩ−ＲＳは１０、１１番目のサブキャリアに隣り合ってマッピングされる。
【００５０】
［実施例２］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００５１】
新たに設計された４パス又は８パスのＣＳＩ−ＲＳは一定の周期に従って図３に示すパターンを重複送信し、各周期内において、新たに設計されたＣＳＩ−ＲＳは一つのサブフレームを占めて送信される。
【００５２】
新たに設計されたＣＳＩ−ＲＳの各パスのアンテナポートの参照信号周波数領域間隔は、８個のサブキャリアであって、ＣＳＩ−ＲＳを送信するサブフレームの全帯域幅において二つのＲＢごとに図３に示すパターンを重複する。
【００５３】
新たに設計されたＣＳＩ−ＲＳは各サブフレームの１４番目のシンボルにマッピングされて送信される。
【００５４】
０パスのＣＳＩ−ＲＳは１番目のサブキャリアと９番目のサブキャリアと１７番目のサブキャリアにマッピングされ、１パスのＣＳＩ−ＲＳは２番目のサブキャリアと１０番目のサブキャリアと１８番目のサブキャリアにマッピングされ、２パスのＣＳＩ−ＲＳは３番目のサブキャリアと１１番目のサブキャリアと１９番目のサブキャリアにマッピングされ、３パスのＣＳＩ−ＲＳは４番目のサブキャリアと１２番目のサブキャリアと２０番目のサブキャリアにマッピングされ、４パスのＣＳＩ−ＲＳは５番目のサブキャリアと１３番目のサブキャリアと２１番目のサブキャリアにマッピングされ、５パスのＣＳＩ−ＲＳは６番目のサブキャリアと１４番目のサブキャリアと２２番目のサブキャリアにマッピングされ、６パスのＣＳＩ−ＲＳは７番目のサブキャリアと１５番目のサブキャリアと２３番目のサブキャリアにマッピングされ、７パスのＣＳＩ−ＲＳは８番目のサブキャリアと１６番目のサブキャリアと２４番目のサブキャリアにマッピングされる。
【００５５】
［実施例３］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の４ポートのパターンとは同じである。
【００５６】
新たに設計された４パス又は８パスのＣＳＩ−ＲＳは一定の周期に従って図４に示すパターンを重複送信し、各周期内において、新たに設計されたＣＳＩ−ＲＳは一つのサブフレームを占めて送信される。
【００５７】
新たに設計されたＣＳＩ−ＲＳの各パスのアンテナポートの参照信号周波数領域間隔は、６個のサブキャリアであって、ＣＳＩ−ＲＳを送信するサブフレームの全帯域幅において各ＲＢが図４に示すパターンを重複する。
【００５８】
新たに設計されたＣＳＩ−ＲＳは各サブフレームの１１番目と１４番目のシンボルにマッピングされて送信される。
【００５９】
０パスのＣＳＩ−ＲＳと１パスのＣＳＩ−ＲＳは１１番目のシンボルの１、２番目のサブキャリアに隣り合ってマッピングされ、２パスのＣＳＩ−ＲＳと３パスのＣＳＩ−ＲＳは１１番目のシンボルの４、５番目のサブキャリアに隣り合ってマッピングされ、４パスのＣＳＩ−ＲＳと５パスのＣＳＩ−ＲＳは１１番目のシンボルの７、８番目のサブキャリアに隣り合ってマッピングされ、６パスのＣＳＩ−ＲＳと７パスのＣＳＩ−ＲＳは１１番目のシンボルの１０、１１番目のサブキャリアに隣り合ってマッピングされ、又は、０パスのＣＳＩ−ＲＳと１パスのＣＳＩ−ＲＳが１４番目のシンボルの７、８番目のサブキャリアに隣り合ってマッピングされ、２パスのＣＳＩ−ＲＳと３パスのＣＳＩ−ＲＳが１４番目のシンボルの１０、１１番目のサブキャリアに隣り合ってマッピングされ、４パスのＣＳＩ−ＲＳと５パスのＣＳＩ−ＲＳが１４番目のシンボルの１、２番目のサブキャリアに隣り合ってマッピングされ、６パスのＣＳＩ−ＲＳと７パスのＣＳＩ−ＲＳが１４番目のシンボルの４、５番目のサブキャリアに隣り合ってマッピングされる。
【００６０】
［実施例４］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００６１】
新たに設計された４パス又は８パスのＣＳＩ−ＲＳは一定の周期に従って図５に示すパターンを重複送信し、各周期内の新たに設計されたＣＳＩ−ＲＳは一つのサブフレームを占めて送信される。
【００６２】
新たに設計されたＣＳＩ−ＲＳの各パスのアンテナポートの参照信号周波数領域間隔は、２４個のサブキャリアであって、ＣＳＩ−ＲＳを送信するサブフレームの全帯域幅において二つのＲＢごとに図５に示すパターンを重複する。
【００６３】
新たに設計されたＣＳＩ−ＲＳは各サブフレームの１４番目のシンボルにマッピングされて送信される。
【００６４】
０パスのＣＳＩ−ＲＳは３番目のサブキャリアにマッピングされ、１パスのＣＳＩ−ＲＳは６番目のサブキャリアにマッピングされ、２パスのＣＳＩ−ＲＳは９番目のサブキャリアにマッピングされ、３パスのＣＳＩ−ＲＳは１２番目のサブキャリアにマッピングされ、４パスのＣＳＩ−ＲＳは１５番目のサブキャリアにマッピングされ、５パスのＣＳＩ−ＲＳは１８番目のサブキャリアにマッピングされ、６パスのＣＳＩ−ＲＳは２１番目のサブキャリアにマッピングされ、７パスのＣＳＩ−ＲＳは２４番目のサブキャリアにマッピングされる。
【００６５】
［実施例５］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００６６】
新たに設計された４パス又は８パスのＣＳＩ−ＲＳは一定の周期に従って図６に示すパターンを重複送信し、各周期内において、新たに設計されたＣＳＩ−ＲＳは一つのサブフレーム占めて送信される。
【００６７】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図６に示すパターンを重複する。
【００６８】
新たに設計されたＣＳＩ−ＲＳは各サブフレームの１１番目のシンボルにマッピングされて送信される。
【００６９】
０パスのＣＳＩ−ＲＳと１パスのＣＳＩ−ＲＳは１、２番目のサブキャリアに隣り合ってマッピングされ、２パスのＣＳＩ−ＲＳと３パスのＣＳＩ−ＲＳは４、５番目のサブキャリアに隣り合ってマッピングされ、４パスのＣＳＩ−ＲＳと５パスのＣＳＩ−ＲＳは７、８番目のサブキャリアに隣り合ってマッピングされ、６パスのＣＳＩ−ＲＳと７パスのＣＳＩ−ＲＳは１０、１１番目のサブキャリアに隣り合ってマッピングされる。
【００７０】
［実施例６］
{１、２、４、８}パスのＣＳＩ−ＲＳを新たに設計し、４パスのＣＳＩ−ＲＳパターンと８パスのＣＳＩ−ＲＳパターンの最初の四つのポートのパターンとが同じである。１パスのＣＳＩ−ＲＳパターンと２パスのＣＳＩ−ＲＳの最初の一つのポートのパターンとが同じであって、２パスのＣＳＩ−ＲＳパターンと４パスのＣＳＩ−ＲＳの最初の二つのポートのパターンとが同じであって、４パスのＣＳＩ−ＲＳパターンと８パスのＣＳＩ−ＲＳの最初の四つのポートのパターンとが同じである。
【００７１】
ＣＳＩ−ＲＳは一定の周期に従って図７に示すパターンを重複送信し、各周期内において、新たに設計されたＣＳＩ−ＲＳは一つのサブフレームを占めて送信される。
【００７２】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図７に示すパターンを重複する。
【００７３】
新たに設計されたＣＳＩ−ＲＳは各サブフレームの６番目のシンボルにマッピングされて送信される。
【００７４】
０パスのＣＳＩ−ＲＳと１パスのＣＳＩ−ＲＳは１、２番目のサブキャリアに隣り合ってマッピングされ、２パスのＣＳＩ−ＲＳと３パスのＣＳＩ−ＲＳは４、５番目のサブキャリアに隣り合ってマッピングされ、４パスのＣＳＩ−ＲＳと５パスのＣＳＩ−ＲＳは７、８番目のサブキャリアに隣り合ってマッピングされ、６パスのＣＳＩ−ＲＳと７パスのＣＳＩ−ＲＳは１０、１１番目のサブキャリアに隣り合ってマッピングされる。
【００７５】
［実施例７］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００７６】
新たに設計された４パス又は８パスのＣＳＩ−ＲＳは一定の周期に従って図８に示すパターンを重複送信し、各周期内において、新たに設計されたＣＳＩ−ＲＳは一つのサブフレーム占めて送信される。
【００７７】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図８に示すパターンを重複する。
【００７８】
新たに設計されたＣＳＩ−ＲＳの０〜３パスは各サブフレームの６番目のシンボルにマッピングされて送信され、４〜７パスは各サブフレームの１１番目のシンボルにマッピングされて送信される。
【００７９】
０パスのＣＳＩ−ＲＳと４パスのＣＳＩ−ＲＳは１番目のサブキャリアにマッピングされ、１パスのＣＳＩ−ＲＳと５パスのＣＳＩ−ＲＳは４番目のサブキャリアにマッピングされ、２パスのＣＳＩ−ＲＳと６パスのＣＳＩ−ＲＳは７番目のサブキャリアにマッピングされ、３パスのＣＳＩ−ＲＳと７パスのＣＳＩ−ＲＳは１０番目のサブキャリアにマッピングされる。
【００８０】
［実施例８］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００８１】
新たに設計された４パス又は８パスのＣＳＩ−ＲＳは一定の周期に従って図９に示すパターンを重複送信し、各周期内において、新たに設計されたＣＳＩ−ＲＳは一つのサブフレームを占めて送信される。
【００８２】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図９に示すパターンを重複する。
【００８３】
新たに設計されたＣＳＩ−ＲＳの０〜３パスは各サブフレームの６番目のシンボルにマッピングされて送信され、４〜７パスは各サブフレームの１１番目のシンボルにマッピングされて送信される。
【００８４】
０パスのＣＳＩ−ＲＳと１パスのＣＳＩ−ＲＳは１、２番目のサブキャリアに隣り合ってマッピングされ、２パスのＣＳＩ−ＲＳと３パスのＣＳＩ−ＲＳは７、８番目のサブキャリアに隣り合ってマッピングされ、４、５、６、７パスの周波数領域位置はそれぞれ０、１、２、３パスと同じである。
【００８５】
［実施例９］
実際のアンテナポート数が４、８である場合、４パス又は８パスのチャネル測定参照信号を新たに設計してＬＴＥ−Ａシステムのダウンリンクチャネル測定を実現し、実際のアンテナポート数が１、２である場合、チャネル測定参照信号は、ＬＴＥシステムの共通参照信号を再度利用してチャネル測定参照信号としてＬＴＥ−Ａシステムのダウンリンクチャネル測定を実現する。４パスのＣＳＩ−ＲＳパターンと８パスのＣＳＩ−ＲＳパターンの最初の四つのポートのパターンとは同じである。
【００８６】
新たに設計された４パス又は８パスのＣＳＩ−ＲＳは一定の周期に従って図１０に示すパターンを重複送信し、各周期内において、新たに設計されたＣＳＩ−ＲＳは一つのサブフレームを占めて送信される。
【００８７】
新たに設計されたＣＳＩ−ＲＳの各パスのアンテナポートの参照信号周波数領域間隔は、１２個のサブキャリアであって、ＣＳＩ−ＲＳを送信するサブフレームの全帯域幅において各ＲＢが図１０に示すパターンを重複する。
【００８８】
新たに設計されたＣＳＩ−ＲＳの０〜３パスは各サブフレームの６番目のシンボルにマッピングされて送信され、４〜７パスは各サブフレームの１４番目のシンボルにマッピングされて送信される。
【００８９】
０パスのＣＳＩ−ＲＳと１パスのＣＳＩ−ＲＳは１、２番目のサブキャリアに隣り合ってマッピングされ、２パスのＣＳＩ−ＲＳと３パスのＣＳＩ−ＲＳは７、８番目のサブキャリアに隣り合ってマッピングされ、４、５、６、７パスの周波数領域位置はそれぞれ０、１、２、３パスと同じである。
【００９０】
図１１は、本発明に係るチャネル測定参照信号送信システム１１００のブロック図である。図１１に示すように、当該システムは、一つの送信周期内において、各パスのチャネル測定参照信号を一つのサブフレーム又は隣り合う二つのサブフレームにおいて送信し、所定の構成ユニットを単位として全帯域幅において同間隔で各パスのチャネル測定参照信号を重複送信する送信ブロック１１０２を含む。
【００９１】
その中、送信ブロック１１０２は、１パスのチャネル測定参照信号のパターンと２パスのチャネル測定参照信号の最初の一つのポートのパターンとが同じであって、２パスのチャネル測定参照信号のパターンと４パスのチャネル測定参照信号の最初の二つのポートのパターンとが同じであって、４パスのチャネル測定参照信号のパターンと８パスのチャネル測定参照信号の最初の四つのポートのパターンとが同じになるように{１、２、４、８}パスのチャネル測定参照信号を新たに設計する第１のチャネル測定参照信号のパス数設定ユニット１１０２ａと、実際のアンテナポート数が４又は８である場合、新たに設計された４パス又は８パスのチャネル測定参照信号が高級長期的進化システムのダウンリンクチャネル測定を実現し、実際のアンテナポート数が１又は２である場合、チャネル測定参照信号がＬＴＥシステムの共通参照信号を再度利用してチャネル測定参照信号として高級長期的進化システムのダウンリンクチャネル測定を実現するように{４、８}パスのチャネル測定参照信号を新たに設計する第２のチャネル測定参照信号のパス数設定ユニット１１０２ｂと、を含み、その中、４パスのチャネル測定参照信号のパターンと８パスのチャネル測定参照信号のパターンの最初の四つのポートのパターンとは同じである。
【００９２】
本発明において、送信周期が異なるチャネル測定参照信号のパターンは同じであって、上記チャネル測定参照信号は配置されたサブフレームの６、９、１４番目のシンボルにマッピングされて送信され、０、２、５、１０又は２０中のいずれの数のサブフレームを周期として上記チャネル測定参照信号を送信し、上記チャネル測定参照信号が所定の構成ユニットを単位として同間隔で重複する周波数領域間隔は、{６、８、１２、１６、２４、３０、３６、４２、４８}である。
【００９３】
そして、本発明に係るチャネル測定参照信号送信システムは、上記チャネル測定参照信号と新たに設計されたチャネル測定参照信号を一つのＲＢ又は二つのＲＢを所定の構成ユニットとして全帯域幅において同間隔で重複送信する重複送信ユニット１１０４を更に含み、８パスのチャネル測定参照信号が送信するサブフレームの１４番目のＯＦＤＭシンボルに位置する。
【００９４】
上述において、本発明は所定の構成ユニットを各ＲＢにおいて送信したが、本発明はそれに限定されず、所定の構成ユニットを２個のＲＢ、又は１.５個のＲＢ又は２.５個のＲＢ又は３個のＲＢの間隔で全帯域幅において同間隔で送信することができる。
【００９５】
当業者にとっては、上述の本発明の送信方法は共通の計算装置によって実現することができ、単独の計算装置に集中させることができれば、複数の計算装置からなるネットワークに分布させることもでき、さらに計算装置の実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。 
【００９６】
上述のように、本発明によると、ＬＴＥシステムのＣＲＳ送信を保持し、ＬＴＥユーザに対する影響が少なく、高級ＭＩＭＯとＣＯＭＰに必要な参照信号情報を提供し、ＬＴＥ−Ａｄｖａｎｃｅｄユーザの単リンクの品質向上に有利である。そして、まばらな設計によってＬＴＥユーザの性能劣化を防止し、設計に係るオーバーヘットが低く、チャネル測定の性能を保証でき、ＬＴＥ−Ａシステムのスループットを向上する。
【００９７】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013502773.tif 000004
【図２】
2013502773.tif 000005
【図３】
2013502773.tif 000006
【図４】
2013502773.tif 000007
【図５】
2013502773.tif 000008
【図６】
2013502773.tif 000009
【図７】
2013502773.tif 000010
【図８】
2013502773.tif 000011
【図９】
2013502773.tif 000012
【図１０】
2013502773.tif 000013
【図１１】
2013502773.tif 000014
【国際調査報告】
2013502773.tif 000015
2013502773.tif 000016
2013502773.tif 000017
2013502773.tif 000018